(57)【要約】【課題】複雑な構成や制御を必要とすることなく、外来光等の影響による誤検出を防止して、記録媒体の有無を正確に判別することができる記録媒体検出装置を提供する。【解決手段】発光部と前記発光部からの出力光を検出する受光部を備えた反射型フォトセンサと、収容部に配置された前記反射型フォトセンサの出力に基づいて前記収容部の記録媒体の有無を判別する記録媒体判別部とからなる記録媒体検出装置で、前記発光部の駆動タイミングの前後の前記受光部の出力変化に基づいて前記記録媒体の有無を判別するように前記記録媒体判別部を構成する。【選択図】図１
2009057145.tif 000002
【特許請求の範囲】
【請求項１】
発光部と前記発光部からの出力光を検出する受光部を備えた反射型フォトセンサと、収容部に配置された前記反射型フォトセンサの出力に基づいて前記収容部の記録媒体の有無を判別する記録媒体判別部とからなる記録媒体検出装置であって、
前記記録媒体判別部は、前記発光部の駆動タイミングの前後の前記受光部の出力変化に基づいて前記記録媒体の有無を判別する記録媒体検出装置。
【請求項２】
前記記録媒体判別部は、前記発光部を所定タイミングで間歇駆動する請求項１記載の記録媒体検出装置。
【発明の詳細な説明】
【技術分野】
【０００１】
本発明は、発光部と前記発光部からの出力光を検出する受光部を備えた反射型フォトセンサと、収容部に配置された前記反射型フォトセンサの出力に基づいて前記収容部の記録媒体の有無を判別する記録媒体判別部とからなる記録媒体検出装置に関する。
【背景技術】
【０００２】
発光部と発光部からの出力光を検出する受光部を備えた反射型フォトセンサは記録媒体、例えば、原稿や記録紙等の有無を判別するセンサとして使用される。
【０００３】
この様な用途の反射型フォトセンサは記録媒体に対向する位置に配置され、記録媒体が当該反射型フォトセンサの検出位置にあると、発光部からの出力光は記録媒体で反射され、反射光が受光部により検出される。反射光を検出した受光部からの出力は、記録媒体の有無を判別する記録媒体判別部に入力される。検出した光の強度等により受光部の出力が変化するため、記録媒体判別部は受光部の出力の変化に基づき、反射型フォトセンサの検出位置に記録媒体があるか否かを判別することができる。
【０００４】
例えば、反射型フォトセンサは、画像形成装置のＡＤＦ（Auto Document Feeder：自動原稿送り装置）や給紙トレイ等に配置され、当該反射型フォトセンサからの出力等に基づいて反射型フォトセンサの検出位置の記録媒体の有無が記録媒体判別部によって判別される。反射型フォトセンサの検出位置の記録媒体の有無を判別することで、ＡＤＦや給紙トレイの所定位置に記録媒体がセットされたか否か、または、記録媒体のサイズを検出することができる。
【０００５】
ところが、反射型フォトセンサの検出位置に記録媒体がないとき、受光部の出力は、例えば、室内光などの外来光など、発光部からの出力光以外の光によって変化するため、記録媒体検出部により記録媒体が検出位置にあると誤検出される虞がある。そこで、当該誤検出を防止するために様々な技術が提案されている。
【０００６】
特許文献１には、読取位置に原稿を自動的に搬送する自動原稿送り装置を搭載し、自動原稿送り装置によって読取位置に搬送される原稿の画像を読み取るとともに、読み取った画像を記録紙に記録する画像形成装置において、発光部を及び受光部の対からなり、任意の位置に設置された複数の光センサを有し、発光部から原稿または記録紙に照射された光を受光部によって受光して原稿または記録紙の有無を検出することにより、原稿の搬送位置、大きさ、または記録紙の搬送位置の少なくとも１つ以上を検知する検知手段を有し、検知手段は、発光部の発光パターンと受光部の受光パターンを比較し、比較結果に基づいて原稿または記録紙の有無を判断することを特徴とする画像形成装置が提案されている。
【０００７】
特許文献２には、外光にさらされる原稿載置手段上の原稿と対向する位置に発光部および受光部を配置してなる反射型光センサを備えた原稿搬送装置において、上記発光部の点灯・消灯を制御するための駆動パルスによって上記受光部の出力をサンプリングすることでその誤検知を防止する手段と、上記発光部の非駆動時に上記受光部の出力波形を上記サンプリング波形と比較する手段と、を有し、双方の波形が同等であるときは、原稿有りの誤検知がされることを予め自動認識する制御手段を備えたことを特徴とする反射型光センサを備えた原稿搬送装置が提案されている。
【０００８】
特許文献３には、原稿を載置して搬送する原稿台と、該原稿台に載置された原稿に光を照射する発光部及び原稿から反射光を受光する受光部からなる反射型光センサとを備えた原稿搬送装置において、予め設定された基準ベース値を記憶する記憶手段と、原稿載置後の前記反射型光センサの反射光値を検出する検出手段と前記記憶手段に記憶された基準ベース値と前記反射光値とを比較することにより原稿の有無を判定し、原稿有りの判定により前記原稿台を駆動する信号を出力する判定手段と、前記判定手段により原稿が前記原稿台に載置されていないと判定した場合、前記記憶手段の基準ベース値を新たな基準のベース値に更新するベース値更新手段を備えたことを特徴とする原稿搬送装置が提案されている。
【特許文献１】特開平１１−１１６１０２号公報
【特許文献２】特開２０００−２９２９９０号公報
【特許文献３】特開２００３−１４０２７２号公報
【発明の開示】
【発明が解決しようとする課題】
【０００９】
しかし、特許文献１に記載された画像形成装置では、発光部の発光パターンと同一のパターンの外来光が受光部に入射すると誤検出が発生する。また、当該誤検出を防止するためには複数の発光パターンを備え、且つ、外来光のパターンと一致したときには発光パターンを変更しなければならず、発光部の制御や構成が複雑になると言う問題があった。
【００１０】
特許文献２に記載された原稿搬送装置では、原稿「無」のときに外来光のパターンをサンプリングするため、電源投入時から原稿がセットされていると外来光のパターンをサンプリングすることができず、誤検出が発生する虞があった。また、原稿「無」のときに、外来光のパターンをサンプリングし、当該パターンを記憶しておかなければならないなど、複雑な制御が必要であった。
【００１１】
特許文献３に記載された原稿搬送装置では、基準ベース値と反射光値が一致すると誤検出が発生する。また、原稿が載置されてないときに基準ベース値を更新するため、電源投入時から原稿がセットされていると基準ベース値を更新することができずに誤検出が発生する虞がある。更に、原稿が載置されてないときに、基準ベース値を取得し、当該基準ベース値を記憶しておかなければならないなど、複雑な制御が必要であった。
【００１２】
本発明の目的は、上述の問題に鑑み、複雑な構成や制御を必要とすることなく、外来光等の影響による誤検出を防止して、記録媒体の有無を正確に判別することができる記録媒体検出装置を提供する点にある。
【課題を解決するための手段】
【００１３】
上述の目的を達成するため、本発明による記録媒体検出装置の第一の特徴構成は、特許請求の範囲の書類の請求項１に記載した通り、発光部と前記発光部からの出力光を検出する受光部を備えた反射型フォトセンサと、収容部に配置された前記反射型フォトセンサの出力に基づいて前記収容部の記録媒体の有無を判別する記録媒体判別部とからなる記録媒体検出装置であって、前記記録媒体判別部は、前記発光部の駆動タイミングの前後の前記受光部の出力変化に基づいて前記記録媒体の有無を判別する点にある。
【００１４】
収容部に記録媒体がセットされたとき、当該記録媒体が反射型フォトセンサの検出位置にあるように反射型フォトセンサが当該収容部に配置されているとき、反射型フォトセンサの検出位置に記録媒体があると、発光部の駆動タイミングの前では、記録媒体により外来光は遮光され、且つ、発光部からの出力光がないため、受光部からの出力は入光がないときの値となるが、発光部の駆動タイミングの後では、記録媒体により外来光は遮光され、且つ、発光部からの出力光が記録媒体で反射されて受光部で検出されるため、受光部からの出力は当該出力光に対応した値となる。つまり、反射型フォトセンサの検出位置に記録媒体があるときには、発光部の駆動タイミングの前後では、受光部の出力変化は比較的大きなものとなる。
【００１５】
一方、反射型フォトセンサの検出位置に記録媒体がないとき、発光部の駆動前と駆動後の何れであっても、受光部からの出力は外来光に対応した値となる。つまり、反射型フォトセンサの検出位置に記録媒体がないときには、発光部の駆動タイミングの前後では、受光部の出力変化はなく、または、比較的小さなものとなる。
【００１６】
反射型フォトセンサの検出位置に記録媒体がセットされたタイミングで発光部が駆動するとき、発光部の駆動タイミングの前では、反射型フォトセンサの検出位置に記録媒体がないため、受光部の出力は外来光に対応した値となり、発光部の駆動タイミングの後では、反射型フォトセンサの検出位置に記録媒体があり、外来光は記録媒体により遮光されるため、受光部の出力は記録媒体で反射された発光部からの出力光に対応した値となる。つまり、発光部の駆動タイミングの前後では、受光部の出力変化は比較的大きなものとなる。
【００１７】
逆に、反射型フォトセンサの検出位置から記録媒体が取り除かれたタイミングで発光部が駆動するとき、発光部の駆動タイミングの前では、反射型フォトセンサの検出位置に記録媒体があるが、外来光は記録媒体により遮光され、発光部からの出力光はないため、受光部の出力は入光がないときの値となり、発光部の駆動タイミングの後では、反射型フォトセンサの検出位置に記録媒体がなく、発光部の出力光は反射されないため、受光部の出力は外来光に対応した値となる。つまり、発光部の駆動タイミングの前の受光部の出力は入光がないときの値であり、発光部の駆動タイミングの前後では、受光部の出力変化は比較的大きなものとなる。
【００１８】
即ち、記録媒体判別部は、発光部の駆動タイミングの前後で発光部の出力を検出し、その出力変化が予め設定した所定値以上であるか否かに基づき、収容部に記録媒体があるかないかを判別することができる。つまり、記録媒体判別部は、当該出力変化が所定値以上であれば収容部に記録媒体があると判別し、当該出力変化が所定値より小さければ収容部に記録媒体がないと判別する。
【００１９】
上述の構成によれば、ハード的に複雑な構成を備えることなく、発光部の駆動タイミングの前後で検出された受光部の出力変化が所定値以上であるか否かに基づき、記録媒体判別部は外来光等による影響を排除して記録媒体の有無を正確に判別することができる。
【００２０】
同第二の特徴構成は、同請求項２に記載した通り、上述の第一の特徴構成に加えて、前記記録媒体判別部は、前記発光部を所定タイミングで間歇駆動する点にある。
【００２１】
上述の構成によれば、万が一、外来光の強度等が短時間で大きく変動することがあっても、発光部は所定タイミング毎に間歇駆動されるため、記録媒体判別部は、当該所定タイミング毎に受光部の出力変化を取得することができ、複数の出力変化に基づいて記録媒体の有無を正確に判別することができる。また、常に記録媒体の有無を判別する必要があるときには、所定タイミングの間隔を短く設定することで、記録媒体判別部は、記録媒体の有無の判別を正確に判別することができる。
【発明の効果】
【００２２】
以上説明した通り、本発明によれば、複雑な構成や制御を必要とすることなく、外来光等の影響による誤検出を防止して、記録媒体の有無を正確に判別することができる記録媒体検出装置を提供することができるようになった。
【発明を実施するための最良の形態】
【００２３】
以下に、本発明の記録媒体検出装置を備えた画像形成装置の一例である複写機について説明する。
【００２４】
図２に示すように、複写機１００は、液晶画面やプリント条件などを入力する操作キー等が配置された操作部１１０と、原稿給紙台２８に載置された原稿を順次給紙する原稿給紙部２００と、原稿画像を光電変換してデジタル画像データとして読み取る画像読取部１２０と、デジタル画像データを出力画像データに変換する画像処理部１３０と、出力画像データに基づいてトナー像を形成して用紙収容部４００から搬送された用紙に転写する画像形成部１４０と、トナー像を溶融して用紙に定着する定着部１４１等の機能ブロックと、これらの機能ブロックを制御して所定の画像形成プロセスを実行する制御部３００等を備えて構成される。
【００２５】
操作部１１０は、ユーザによる操作キー等の押圧を検出して複写条件などを制御部３００に出力するとともに、制御部３００からの制御に基づいて液晶画面に操作画面や警告画面等を表示する。
【００２６】
画像読取部１２０は、原稿を照明する光源と、複数のミラー及びレンズを介して入光する原稿からの反射光を光電変換して原稿画像をデジタル画像データとして読み取るＣＣＤを備える。
【００２７】
画像処理部１３０は、画像処理用ＡＳＩＣなどを備え、画像読取部１２０が読み取ったデジタル画像データにジェーディング補正や、操作部１１０で入力された複写条件に基づく画像処理を行い、出力画像データに変換する。
【００２８】
画像形成部１４０は、感光体と、感光体表面を一様に帯電する帯電装置と、出力画像データに基づきレーザビームを走査して感光体表面を露光して静電潜像を形成する露光装置と、形成された静電潜像をトナー画像として顕像化する現像装置と、感光体表面の電荷を除電する除電ランプなどを備えて構成される。
【００２９】
定着部１４１は、定着ヒータが内装された定着ローラと定着ローラに圧接された加圧ローラを備える。定着部１４１では、トナー像が転写された用紙が定着ローラと加圧ローラの間を通過することで、トナー像が溶融されて用紙に定着される。
【００３０】
図３（ａ）、図３（ｂ）に示すように、原稿給紙部２００は、原稿給紙台２８と、原稿給紙台２８に載置された原稿を順次給紙する給紙機構２６と、給紙機構２６により給紙された原稿が排紙される原稿排紙台２９を備える。
【００３１】
原稿給紙台２８には、載置された原稿を幅方向に規制する原稿ガイド２２と、原稿サイズを検出する原稿サイズセンサ２３と、原稿給紙台２８に原稿が載置されているか否かを検出する原稿載置センサ２１が配置されている。原稿載置センサ２１は、原稿サイズに関わらず原稿が載置されたか否かを検出することができるように、原稿給紙台２８の給紙方向前方、且つ、幅方向中央に配置されている。原稿サイズセンサ２３は、原稿給紙台２８の給紙方向後方、且つ、幅方向中央に配置され、本発明の収容部である原稿載置台２８に、Ａ３などの大きなサイズの原稿が載置されたか否かを検出する。
【００３２】
図４に示すように、原稿ガイド２２は下部にラック２２ａを有し、ラック２２ａとピ二オン２２ｂの協働により、原稿ガイド２２は原稿給紙台２８に載置された原稿を原稿幅方向中央に規制する。また、原稿ガイド２２の下部には複数の原稿幅センサ２２ｄが原稿幅方向に配置されている。原稿幅センサ２２ｄは発光部と発光部からの出力光を検出する受光部を備える透過型フォトセンサにより構成され、各透過型フォトセンサ２２ｄの出力は制御部３００に入力される。
【００３３】
原稿載置台２８に載置された原稿を挟み込むように原稿ガイド２２が移動すると、当該移動に応じて一方の原稿ガイド２２が有する突起部２２ｃにより、一の原稿幅センサ２２ｄの発光部から受光部への出力光が遮光され、出力光が遮光された一の原稿幅センサ２２ｄの出力が変化する。尚、本実施形態では、原稿幅センサ２２ｄは出力光が遮光されると正の電圧を出力するように構成される。
【００３４】
図５（ａ）に示すように、原稿載置センサ２１と原稿サイズセンサ２３は、発光部２１ａ（２３ａ）と発光部２１ａ（２３ａ）からの出力光を検出する受光部２１ｂ（２３ｂ）を備えた反射型フォトセンサで構成される。
【００３５】
図５（ｂ）に示すように、発光部２１ａ（２３ａ）はフォトカプラを構成する発光ダイオードから、受光部２１ｂ（２３ｂ）はフォトカプラを構成するフォトダイオードからなる。受光部２１ｂ（２３ｂ）の出力Ｖｏはアンプ２１ｃ（２３ｃ）により増幅され、インバータでレベル反転されて制御部３００に入力される。
【００３６】
原稿載置センサ２１の発光部２１ａを構成する発光ダイオードのアノードには直流電圧Ｖｄｃが印加され、カソードは接地されている。よって、直流電圧Ｖｄｃの印加中、発光部２１ａは常時、光を出力している。
【００３７】
原稿サイズセンサ２３の発光部２３ａを構成する発光ダイオードのアノードには直流電圧Ｖｄｃが印加され、カソードはトランジスタＱ２３ｄのコレクタと接続されている。トランジスタＱ２３ｄのベースは制御部３００の出力ポートと接続され、エミッタは接地されている。よって、制御部３００からハイレベルの駆動信号が出力されると、トランジスタＱ２３ｄは導通状態となり、発光部２３ａは駆動して光を出力し、ローレベルの駆動信号が出力されると、トランジスタＱ２３ｄは遮断状態となり、発光部２１ａは停止して出力光が停止する。
【００３８】
原稿給紙台２８に原稿が載置されて原稿載置センサ２１と原稿サイズセンサ２３の検出位置に原稿があると、駆動中の発光部２１ａ（２３ａ）からの出力光が原稿で反射され、反射光を検出した受光部２１ｂ（２３ｂ）からの出力が変化する。本実施形態では、受光部２１ｂ（２３ｂ）は光を検出すると、正の電圧を出力するように構成されるため、検出位置に原稿が載置されると、発光部２１ａ（２３ａ）の出力光を検出して、受光部２１ｂ（２３ｂ）は、検出した光の強度が強いときには高い、弱いときには低い正の電圧を出力する。
【００３９】
図６に示すように、制御部３００は、ＣＰＵ３０と、制御プログラムが格納されたＲＯＭ３１とＣＰＵ３０の作業領域として使用されるＲＡＭ３２と、センサ出力などが入力される入力ポート３３と、アクチュエータやモータのドライブ回路等への駆動信号を出力する出力ポート３４と、各機能ブロックとのインターフェース回路３５等を備えて構成される。入力ポート３３はＡＤ変換器を備え、少なくとも原稿載置センサ２１と原稿サイズセンサ２３からの出力を当該ＡＤ変換器によりＡＤ変換してＣＰＵ３０に入力するように構成される。
【００４０】
画像形成装置に電源が投入されると、ＣＰＵ３０は、ＲＡＭ３２や入力ポート３３、出力ポート３４等の初期化を行った後、ＲＯＭ３１に格納された制御プログラムを呼び出して実行する。制御部３００は、制御プログラムを実行するＣＰＵ３０と関連するハードウェアの協働により、操作部１１０を介してユーザからの複写条件に基づいて各機能ブロックを統括制御して所定の画像形成プロセスを実行するように構成される。制御部３００は、当該画像形成プロセスの一つとして、原稿給紙部２００に載置される原稿の有無や、原稿サイズの検出を実行する。
【００４１】
図７（ａ）に示すように、原稿給紙台２８に原稿が載置されると、原稿載置センサ２１は正の電圧を出力し、制御部３００は、入力された原稿載置センサ２１の出力が閾値電圧Ｖｔｈ１を超えると、原稿給紙部２００に原稿が載置されたと判別する。尚、制御部３００は、原稿載置台２８に原稿が載置されると、載置された原稿の積載量に応じて給紙機構２６のピックアップローラ２５との間の押圧力が所定の範囲に入るように、トレイモータ（不図示）を駆動して原稿載置台２８を上下移動する。
【００４２】
また、原稿を載置したユーザにより、原稿を挟み込むように原稿ガイド２２が移動されると、当該移動に応じて出力光が遮断された一の原稿幅センサ２２ｄから正の電圧が出力され、制御部３００は、当該正の電圧を出力した原稿幅センサ２２ｄを判別して、載置された原稿の幅方向サイズを検出する。
【００４３】
図７（ａ）に示すように、制御部３００は、原稿載置センサ２１からの出力に基づき、原稿給紙台２８に原稿が載置されたと判別すると、所定時間Ｔ０の間、ハイレベルの駆動信号を出力して原稿サイズセンサ２３の発光部２３ａを駆動する。発光部２３ａの駆動タイミングの後、制御部３００は、受光部２３ｂからの出力に基づき、載置された原稿がＡ３などの大きいサイズなのか否かを検出する。
【００４４】
つまり、発光部２３ａの駆動タイミングの後、受光部２３ｂからの出力Ｖｏが閾値電圧Ｖｔｈ２以上の高い電圧であると、制御部３００は、原稿サイズセンサ２３の検出位置に原稿があると判別し、原稿給紙台２８に大きなサイズの原稿が載置されていると検出し、受光部２３ｂからの出力Ｖｏが閾値電圧Ｖｔｈ２より低い電圧であると、制御部３００は、検出位置に原稿がないと判別し、原稿給紙台２８に小さなサイズの原稿が載置されていると検出する。
【００４５】
上述のように、制御部３００は、原稿載置センサ２１からの出力に基づいて原稿給紙台２８に原稿が載置されたか否かを判別し、原稿幅センサ２２ｄからの出力に基づいて原稿給紙台２８に載置された原稿の幅方向サイズを検出し、原稿サイズセンサ２３からの出力に基づいて原稿給紙台２８に載置された原稿が大きいサイズか小さいサイズかを検出する。
【００４６】
ところが、原稿給紙台２８に小さなサイズの原稿が載置されているとき、原稿サイズセンサ２３には、発光部２３ａの出力光以外に複写機１００が設置された部屋の室内光等の外来光が入光するため、図７（ｂ）に示すように、当該外来光を検出した受光部２３ｂからの出力Ｖｏが閾値電圧Ｖｔｈ２以上になると、制御部３００は、原稿給紙台２８に大きなサイズの原稿が載置されていると誤検出してしまう。
【００４７】
そこで、このような誤検出を防止するため、図１（ａ）、図１（ｂ）に示すように、制御部３００は、原稿載置センサ２１からの出力に基づき、原稿給紙台２８に原稿が載置されたと判別すると、まず、受光部２３ｂからの出力Ｖｏを取得して記憶する。次に、制御部３００は、所定時間Ｔ０の間、ハイレベルの駆動信号を出力して発光部２３ａを駆動し、再び、受光部２３ｂからの出力Ｖｏを取得する。
【００４８】
制御部３００は、発光部２３ａの駆動タイミングの前後で取得した受光部２３ｂの出力変化に基づいて原稿サイズセンサ２３の検出位置の記録媒体の有無を判別し、原稿給紙台２８に載置された原稿のサイズを検出する。つまり、制御部３００は、出力変化が所定値より小さければ原稿サイズセンサ２３の検出位置に原稿がないと判別して原稿給紙台２８に載置された原稿は小さいサイズであると検出し、出力変化が所定値以上であれば原稿サイズセンサ２３の検出位置に原稿があると判別して原稿給紙台２８に載置された原稿は大きいサイズであると検出する。
【００４９】
即ち、制御部３００は本発明の記録媒体判別部であり、本発明の収容部である原稿給紙台２８に配置された原稿サイズセンサ２３と、制御部３００とから本発明の記録媒体検出装置が構成される。
【００５０】
制御部３００による、原稿給紙台２８に載置された原稿が大きいサイズであるか否かの判別動作について、図８に示すフローチャートを用いて説明する。
【００５１】
制御部３００は、原稿載置センサ２１からの出力に基づいて原稿給紙台２８に原稿が載置されたと判別すると（Ｓ１）、原稿サイズセンサ２３の受光部２３ｂの出力Ｖｏ１を取得した後、駆動信号を出力して発光部２３ａを駆動し、再び、原稿サイズセンサ２３の受光部２３ｂの出力Ｖｏ２を取得する（Ｓ２、Ｓ３、Ｓ４）。
【００５２】
発光部２３ａの駆動タイミングの後に取得した受光部２３ｂの出力Ｖｏ２が閾値電圧Ｖｔｈ２より小さいとき、制御部３００は、原稿サイズセンサ２３の検出位置に原稿はないと判別して、原稿給紙台２８に載置された原稿は小さいサイズであると検出する（Ｓ５、Ｓ９、Ｓ１０）。
【００５３】
発光部２３ａの駆動タイミングの後に取得した受光部２３ｂの出力信号が閾値電圧Ｖｔｈ２以上であるとき、制御部３００は、出力Ｖｏ２と出力Ｖｏ１の差分の絶対値を導出し、当該絶対値が所定値以下であれば、原稿サイズセンサ２３の検出位置に原稿はないと判別して、原稿給紙台２８に載置された原稿は小さいサイズであると検出し（Ｓ５、Ｓ６、Ｓ９、Ｓ１０）、当該絶対値が所定値より大きければ、原稿サイズセンサ２３の検出位置に原稿があると判別して、原稿給紙台２８に載置された原稿は大きいサイズであると検出する（Ｓ５、Ｓ６、Ｓ７、Ｓ８）。
【００５４】
以下に、別実施形態について説明する。
【００５５】
上述の実施形態では、本発明の反射型フォトセンサが原稿サイズセンサ２３であるものとして説明したが、原稿載置センサ２１も本発明の反射型フォトセンサであってもよい。この場合、原稿載置センサ２１の受光部２１ｂに発光部２１ａからの出力光以外の外来光が入光する位置に原稿載置センサ２１が配置されるときであっても、制御部３００は、原稿載置センサ２１の受光部２１ｂからの出力に基づいて原稿給紙台２８に原稿が載置されたか否かを正確に検出することができる。
【００５６】
具体的には、原稿サイズセンサ２３の発光部２３ａと同様に、原稿載置センサ２１の発光部２１ａが、制御部３００からの駆動信号により駆動されるように構成し、制御部３００が発光部２１ａに対する駆動信号を短い時間間隔で出力し、当該短い時間間隔の所定タイミングで発光部２１ａを間歇駆動することで、制御部３００は、所定タイミング毎の発光部２１ａの駆動タイミング前後の原稿載置センサ２１の受光部２１ｂの出力変化に基づき、原稿載置センサ２１の検出位置に原稿があるか否かを判別し、原稿給紙台２８に原稿が載置されたか否かを検出することができる。
【００５７】
また、本発明の反射型フォトセンサとして原稿載置センサ２１を原稿給紙台２８に配置するとき、制御部３００は、原稿載置センサ２１の発光部２１ａの駆動タイミングの前後の受光部２１ｂの出力変化に基づいて原稿給紙台２８に原稿が載置されたか否かを判別するだけでなく、当該出力変化に基づいて原稿給紙台２８から原稿が取り除かれたか否かを判別することもできる。
【００５８】
上述の実施形態では、制御部３００は、原稿載置センサ２１からの出力変化に基づき、原稿給紙台２８に原稿が載置されたと判別した後、原稿サイズセンサ２３の受光部２３ｂからの出力を検出し、その後のタイミングで発光部２３ａを駆動するものとしたが、外来光の強度が短時間で大きく変動する虞があるようなときには、制御部３００は原稿給紙台２８に原稿が載置された後、所定タイミングで数回、駆動信号を出力して、発光部２３ａを間歇駆動するものであってもよい。
【００５９】
この場合、所定タイミング毎に発光部２３ａの駆動タイミングの前後の受光部２３ｂの出力変化を取得し、当該出力変化の平均値や変化量が近似する出力変化に基づいて、原稿サイズセンサ２３の対向する位置に原稿があるか否かを判別するように制御部３００を構成することで、原稿の有無をより正確に判別することができる。
【００６０】
上述の実施形態では、本発明の反射型フォトセンサが配置される収容部が原稿給紙台２８であるものとしたが、当該収容部は原稿給紙台２８に限定するものではない。例えば、原稿給紙台２８と同様に、用紙の有無や用紙サイズを検出するために配置された反射型フォトセンサに、室内光などの外来光が入光する虞の高い手差しトレイであってもよい。
【００６１】
また、室内光などの外来光が入光する可能性の低い用紙収容部としての給紙カセットなどであっても、例えば、用紙の有無や用紙サイズを検出するために配置された反射型フォトセンサに、画像形成部１４０を構成する除電ランプ等の光が入光する虞があるときには、当該給紙カセットが当該収容部であってもよい。
【００６２】
上述の実施形態では、本発明の記録媒体検出装置を備えた複写機１００について説明したが、本発明による記録媒体検出装置は、複写機以外の任意の画像形成装置に適用することが可能であることは言うまでもない。
【００６３】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００６４】
【図１】（ａ）は原稿サイズセンサによる原稿有無検出動作を説明するタイミングチャート、（ｂ）は原稿サイズセンサによる原稿有無検出動作を説明するタイミングチャート
【図２】複写機の説明図
【図３】（ａ）は原稿給紙部の説明図、（ｂ）は原稿給紙部の説明図
【図４】原稿ガイドの説明図
【図５】（ａ）は原稿載置センサと原稿サイズセンサの説明図、（ｂ）は原稿載置センサと原稿サイズセンサの回路図
【図６】制御部の構成図
【図７】（ａ）は従来技術による原稿サイズセンサによる原稿有無検出動作を説明するタイミングチャート、（ｂ）は従来技術による原稿サイズセンサによる原稿有無検出動作を説明するタイミングチャート
【図８】制御部による原稿サイズ検出を説明するフローチャート
【符号の説明】
【００６５】
２１：原稿載置センサ
２２：原稿ガイド
２２ｄ：原稿幅センサ
２３：反射型フォトセンサ（原稿サイズセンサ）
２３ａ：発光部（発光ダイオード）
２３ｂ：受光部（フォトダイオード）
２８：収容部（原稿給紙台）
２００：原稿給紙部
３００：記録媒体判別部（制御部）
【図１】
2009057145.tif 000003
【図２】
2009057145.tif 000004
【図３】
2009057145.tif 000005
【図４】
2009057145.tif 000006
【図５】
2009057145.tif 000007
【図６】
2009057145.tif 000008
【図７】
2009057145.tif 000009
【図８】
2009057145.tif 000010